(57)【特許請求の範囲】
【請求項１】
多数の変調信号を異なる波長に多重して伝送されてきた受信光を電気的横波成分と磁気的横波成分に分岐させる第１偏光分離器と、
前記受信光の前記多数の変調信号それぞれに対応する多波長の参照光を発生する参照光発生器と、
前記参照光を電気的横波成分と磁気的横波成分に分岐させる第２偏光分離器と、
分岐された受信光と参照光の電気的横波成分どうしを合波して干渉させた干渉成分から各波長の偏光軸における同相成分と直交成分を生成する第１光コヒーレント検波器と、
分岐された受信光と参照光の磁気的横波成分どうしを合波して干渉させた干渉成分から各波長の偏光軸における同相成分と直交成分を生成する第２光コヒーレント検波器と、
前記第１光コヒーレント検波器により生成された各波長の偏光軸における同相成分と直交成分をディジタルデータに変換する第１変換部と、
前記第２光コヒーレント検波器により生成された各波長の偏光軸における同相成分と直交成分をディジタルデータに変換する第２変換部と、
変換された前記各波長それぞれの偏光軸の成分毎のディジタルデータを、前記各波長それぞれに対応するチャネルそれぞれの第１および第２複素信号に分離する分離部と、
前記分離部により分離された前記チャネルそれぞれの第１および第２複素信号から個々のチャネルの変調信号の偏光状態を示す情報を生成する多チャネル解析部と
を具備することを特徴とする光信号処理装置。
【請求項２】
前記参照光発生器は、
前記多数の変調信号に対応し、強度が一定であり、各変調信号毎に所定波長分オフセットした波長成分を有し、前記波長成分どうしが互いに干渉性を有する参照光を発生することを特徴とする請求項１記載の光信号処理装置。
【請求項３】
前記多チャネル解析部は、
前記第１複素信号をあるチャネルにおける前記偏光軸の同相成分のものとし、前記第２複素信号を前記偏光軸に直交する成分のものとし、前記第１複素信号の電力と前記第２複素信号の電力との和をストークスパラメータＳ０、前記第１複素信号の電力と前記第２複素信号の電力との差をストークスパラメータＳ１、前記第１複素信号の複素共益と前記第２複素信号の乗積の実部の２倍をストークスパラメータＳ２、前記第１複素信号の複素共益と前記第２複素信号の乗積の虚部の２倍をストークスパラメータＳ３として偏光状態を示す情報を求めることを特徴とする請求項１または請求項２いずれか記載の光信号処理装置。
【請求項４】
前記多チャネル解析部は、
前記第１複素信号をあるチャネルにおける前記偏光軸の同相成分のものとし、前記第２複素信号を前記偏光軸に直交する成分のものとし、前記第１複素信号に対するある一定時間の平均の電力と前記第２複素信号に対するある一定時間の平均の電力の和をストークスパラメータＳ０、それらの差をストークスパラメータＳ１、前記第１複素信号の複素共益と前記第２複素信号の乗積に対するある一定時間の平均の実部の２倍をストークスパラメータＳ２、前記乗積に対するある一定時間の平均の虚部の２倍をストークスパラメータＳ３として偏光状態を示す情報を求めることを特徴とする請求項１または請求項２いずれか記載の光信号処理装置。
【請求項５】
多数の変調信号を異なる波長に多重して伝送されてきた受信光を電気的横波成分と磁気的横波成分に分岐させ、
前記受信光の前記複数の変調信号それぞれに対応する多波長の参照光を発生し、
前記参照光を電気的横波成分と磁気的横波成分に分岐させ、
分岐された受信光と参照光の電気的横波成分どうしを合波して干渉させた干渉成分から各波長の偏光軸における同相成分と直交成分を生成し、
分岐された受信光と参照光の磁気的横波成分どうしを合波して干渉させた干渉成分から各波長の偏光軸における同相成分と直交成分を生成し、
生成した電気的横波成分および磁気的横波成分それぞれの成分の各波長の偏光軸の同相成分と直交成分をディジタルデータに変換し、
変換した各波長の偏光軸の同相成分と直交成分のディジタルデータを、前記各波長それぞれに対応するチャネルそれぞれの第１および第２複素信号に分離し、
分離した前記チャネルそれぞれの第１および第２複素信号から個々のチャネルの変調信号の偏光状態を示す情報を生成する
ことを特徴とする光信号処理方法。
【発明の詳細な説明】
【技術分野】
【０００１】
本発明の実施形態は、例えば光通信に用いられる光信号処理装置および光信号処理方法に関する。
【背景技術】
【０００２】
光の干渉性を応用した技術は、通信、計測、観測など、さまざまな分野での活用が期待されている。特に、光通信の分野におけるコヒーレント技術は、西暦２０００年代に入り、ディジタル信号処理技術を適用することで光コヒーレント検波の技術の有用性が再認識され、西暦２０１２年には世界初の１００Ｇｂ／ｓ伝送用のディジタルシグナルプロセッサ（以下「ＤＳＰ」と称す）が商品化されるなど、その技術は目覚ましい発展を遂げている。その後も、コヒーレント技術を例えば光ファイバ通信へ応用するなどの研究開発が発展・拡張の一途をたどっている。
【０００３】
光ファイバを介した通信においては、一つの伝送路（例えば１本の光ファイバケーブル）に、異なる波長の信号を伝送することで、情報の伝送容量を格段に高めることができるため、同技術は今後の活用がますます期待される。
【０００４】
光ファイバを介した通信において光コヒーレント検波を行う上では、光ファイバを通じて受信される光の偏光状態（ＳＯＰ：state of polarization）がそのシステム性能を左右するため、ＳＯＰを解析する必要がある。
【０００５】
光の偏光状態を解析する従来の技術としては、例えば直交する２つの軸および４５度傾いた軸において観測される直線偏光の強度と、直交する２つの軸間に光ハイブリッドカプラなどで９０度の位相差をつけて４５度傾いた軸において観測される直線偏光の強度とを用いて受信光の偏光状態を解析する光学的手法による技術がある（例えば非特許文献１参照）。
【０００６】
従来、光ファイバ通信において、一つの波長の光信号に対してＳＯＰを解析する技術はあるが、多波長の光信号に対してＳＯＰを解析する技術は今のところ知られていない。
【先行技術文献】
【非特許文献】
【０００７】
【非特許文献１】サイバネット「第６回：偏光を計算するために、３−１ストークスパラメータ」、インターネット<URL:http://www.cybernet.co.jp/codev/lecture/optics/opt06/opt06.html#0>
【発明の概要】
【発明が解決しようとする課題】
【０００８】
従来の技術は、光学的手法により偏光状態を解析していたため、以下に示すような問題がある。すなわち、受信光の偏光状態を測定するために受信光の一部または全部を必要とする、干渉波生成のための光検波器までの経路上で偏光状態が変化するなど、光信号の受信条件が少し変わるだけで偏光状態が変わってしまい、正しい解析結果が得られない、通信装置などの受信機で受信される微弱な受信光では偏光状態の測定が困難である、などといった問題があった。
【０００９】
本発明が解決しようとする課題は、光ファイバなどの光伝送路を介して受信される多波長の信号それぞれの偏光状態を解析することのできる光信号処理装置および光信号処理方法を提供することにある。
【課題を解決するための手段】
【００１０】
実施形態の光信号処理装置は、多数の変調信号を異なる波長に多重して伝送されてきた受信光を電気的横波成分と磁気的横波成分に分岐させる第１偏光分離器と、前記受信光の前記多数の変調信号それぞれに対応する多波長の参照光を発生する参照光発生器と、前記参照光を電気的横波成分と磁気的横波成分に分岐させる第２偏光分離器と、分岐された受信光と参照光の電気的横波成分どうしを合波して干渉させた干渉成分から各波長の偏光軸における同相成分と直交成分を生成する第１光コヒーレント検波器と、分岐された受信光と参照光の磁気的横波成分どうしを合波して干渉させた干渉成分から各波長の偏光軸における同相成分と直交成分を生成する第２光コヒーレント検波器と、前記第１光コヒーレント検波器により生成された各波長の偏光軸における同相成分と直交成分をディジタルデータに変換する第１変換部と、前記第２光コヒーレント検波器により生成された各波長の偏光軸における同相成分と直交成分をディジタルデータに変換する第２変換部と、変換されたそれぞれの偏光軸の成分毎のディジタルデータを、多数のチャネルそれぞれの第１および第２複素信号に分離する分離部と、前記分離部により分離された多数のチャネルそれぞれの第１および第２複素信号から個々のチャネルの変調信号の偏光状態を示す情報を生成する多チャネル解析部とを具備することを特徴とする。
【００１１】
実施形態の光信号処理方法は、多数の変調信号を異なる波長に多重して伝送されてきた受信光を電気的横波成分と磁気的横波成分に分岐させ、前記受信光の前記複数の変調信号それぞれに対応する多波長の参照光を発生し、前記参照光を電気的横波成分と磁気的横波成分に分岐させ、分岐された受信光と参照光の電気的横波成分どうしを合波して干渉させた干渉成分から各波長の偏光軸における同相成分と直交成分を生成し、分岐された受信光と参照光の磁気的横波成分どうしを合波して干渉させた干渉成分から各波長の偏光軸における同相成分と直交成分を生成し、生成した電気的横波成分および磁気的横波成分それぞれの成分の各波長の偏光軸の同相成分と直交成分をディジタルデータに変換し、変換した各波長の偏光軸の同相成分と直交成分のディジタルデータを、多数のチャネルそれぞれの第１および第２複素信号に分離し、分離した多数のチャネルそれぞれの第１および第２複素信号から個々のチャネルの変調信号の偏光状態を示す情報を生成することを特徴とする。
【図面の簡単な説明】
【００１２】
【図１】一つの実施の形態のマルチコヒーレント偏光アナライザの構成を示す図である。
【図２】マルチコヒーレント偏光アナライザに入力される受信光（観測波）の各チャネルの変調信号を示す図である。
【図３】マルチトーン参照光発生器により発生されるマルチトーン参照光（基準波）を示す図である。
【図４】マルチチャネルアナライザの構成の一例を示す図である。
【図５】光コヒーレント検波器から出力される同相成分Ｉｃｈの一例を示す図である。
【図６】光コヒーレント検波器から出力される直交成分Ｑｃｈの一例を示す図である。
【図７】マルチチャネルアナライザの構成の他の例を示す図である。
【発明を実施するための形態】
【００１３】
以下、図面を参照して、実施形態を詳細に説明する。  
（実施形態）  
図１は一つの実施の形態のマルチコヒーレント偏光アナライザを示す図である。  
図１に示すように、第１実施形態のマルチコヒーレント偏光アナライザは、偏光ビームスプリッタ１、３、基準光発生器２、光コヒーレント検波器４ｅ、４ｍ、アナログ／ディジタル変換部７ｅ、７ｍ（以下「Ａ／Ｄ変換器７ｅ、７ｍ」と称す）、デマルチプレクサ８、マルチチャネルアナライザ９などを有する。
【００１４】
このマルチコヒーレント偏光アナライザには、光ファイバケーブルが透過可能な波長域（例えば波長が１２００ｎｍ〜１７００ｎｍなど）において異なる波長に変調信号を多重（波長分割多重）して伝送してきた光が受信される。この光を受信光Ｓｓという。本実施形態では、通信方式として波長分割多重通信（ＷＤＭ：Wavelength Division Multiplex）を用い、変調方式として例えばＱＰＳＫ方式やＢＰＳＫ方式等を用いるものとする。
【００１５】
受信光Ｓｓは、偏光状態（ＳＯＰ）が未知の多波長信号ある。波長は、一対一の関係にある周波数に言い換えてもよい。また、光ファイバ通信以外に適用する場合には、上記の波長域を超えて適用が可能である。
【００１６】
図２に示すように、受信光Ｓｓには多数の変調信号ｃｈ１、ｃｈ２、ｃｈ３…ｃｈｎが含まれている。変調信号ｃｈ１の中心周波数はｆｃｓ１、変調信号ｃｈ２の中心周波数はｆｃｓ２、変調信号ｃｈ３の中心周波数はｆｃｓ３、変調信号ｃｈｎの中心周波数はｆｃｓnである。
【００１７】
偏光ビームスプリッタ１は、受信光Ｓｓを電気的横波成分（ＴＥ成分）ＴＥｓと磁気的横波成分（ＴＭ成分）ＴＭｓに分岐させる第１偏光分離器である。
【００１８】
基準光発生器２は、受信光Ｓｓの各変調信号に対応する多波長の参照光（マルチトーン参照光ＭＴｌｏ）を発生するマルチトーン参照光発生器である。マルチトーン参照光ＭＴｌｏはローカル光または局部発振光などともいう。基準光発生器２は、受信光Ｓｓの多数の変調信号の波長に対応した多数の参照光を発生する。
【００１９】
マルチトーン参照光ＭＴｌｏは、各変調信号毎に所定波長分オフセットした波長成分を有し、各波長成分どうしが高い干渉性（コヒーレンス）を有する。
【００２０】
図３に示すように、マルチトーン参照光ＭＴｌｏは、全ての波長で偏光状態（ＳＯＰ）がそろった多波長搬送波、つまり線スペクトルＰ１…Ｐｎである。
【００２１】
線スペクトルＰ１…Ｐｎは強度が一定であり、線スペクトル毎に中心周波数ｆｃｓ１…ｆｃｓｎ（中心波長に相当）から所定波周波数分Δｆ１…Δｆｎオフセットした位置に周波数ｆｃｌ１…ｆｃｌｎを持つ信号である。
【００２２】
つまりマルチトーン参照光ＭＴそれぞれの周波数ｆｃｌ１〜ｆｃｌｎは、検波出力後の中間周波数ｆｉｆ１〜ｆｉｆｎ毎の成分が互いに干渉し合わないようオフセットして設定されている。
【００２３】
このように強度が一定の多数の線スペクトル（光周波数コム）を生成する技術は、例えば特開２００７−２４８６６０号公報などに、単一の変調器を用いて平坦なスペクトル特性を有する光周波数コムを発生する光周波数コム発生装置の技術が開示されており、この技術を利用するものとする。
【００２４】
マルチトーン参照光ＭＴｌｏは、基本的に、その偏光状態（ＳＯＰ）が直線偏光であり、次段の偏光ビームスプリッタ３によって電気的横波成分（ＴＥ成分）ＴＥｌｏと磁気的横波成分（ＴＭ成分）ＴＭｌｏに電力等分される。
【００２５】
マルチトーン参照光ＭＴｌｏのＳＯＰと、次段の偏光ビームスプリッタ３によって分離されるＴＥ成分とＴＭ成分への電力比率が既知である場合には、前述したような光学的処理を次段の偏光ビームスプリッタ３の前段で行うか、後述のマルチチャネルアナライザ９において既知の情報を用いた処理を行ってもよい。
【００２６】
偏光ビームスプリッタ３は、基準光発生器２から入力されるマルチトーン参照光ＭＴを電気的横波成分ＴＥｌｏと磁気的横波成分ＴＭｌｏに分岐させる第２偏光分離器である。
【００２７】
偏光ビームスプリッタ３は、光学素子により偏光分離するものの他、同一偏光において電力分離し、分離したマルチトーン参照光ＭＴのそれぞれを偏光制御器により、電気的横波成分ＴＥｌｏと磁気的横波成分ＴＭｌｏに偏光を調整するものであってもよい。
【００２８】
光コヒーレント検波器４ｅは、第１光コヒーレント検波器であり、９０°光ハイブリッドカップラと２つのフォトディテクタを有している。９０°光ハイブリッドカップラは、分岐された各波長毎の受信光Ｓｓと参照光のＴＥ成分ＴＥｓ、ＴＥｌｏどうしを合波して干渉させた干渉成分から各波長の偏光軸における同相成分であるＩｃｈ成分とこれと直交する直交成分であるＱｃｈ成分とを生成する。フォトディテクタは、通常の単一のフォトディテクタのほか、バランスドフォトディテクタ（差動型の２つのフォトディテクタの組み合わせ）も含む。
【００２９】
２つのフォトディテクタのうち一つのフォトディテクタはＩｃｈ成分を電気信号Ｉｃｈｅａに変換し変換部７ｅへ出力する。他の一つのフォトディテクタはＱｃｈ成分をアナログの電気信号（以下「アナログ信号」と称す）Ｑｃｈｅａに変換し変換部７ｅへ出力する。
【００３０】
図５に光コヒーレント検波器４ｅの９０°光ハイブリッドカップラにより生成されるＩｃｈ成分の一例を示す。
【００３１】
検波出力の中間周波数ｆｉｆ１〜ｆｉｆｎは、ｆｉｆｎ＝ｆｃｌｎ−ｆｃｓｎ［ｎ＝１，２，３…Ｎ］で表される。検波波出力の中間周波数ｆｉｆ１〜ｆｉｆｎ毎の成分は、互いに干渉し合わないようマルチトーン参照光ＭＴそれぞれの周波数ｆｃｌ１〜ｆｃｌｎが設定されている。これにより、周波数チャネル（ｆｉｆ１〜ｆｉｆｎ）毎の分離、偏光解析が可能になる。
【００３２】
光コヒーレント検波器４ｍは、第２光コヒーレント検波器であり、９０°光ハイブリッドカップラと２つのフォトディテクタを有している。
【００３３】
９０°光ハイブリッドカップラは、分岐された各波長毎の受信光Ｓｓと参照光のＴＭ成分ＴＭｓ、ＴＭｌｏどうしを合波して干渉させた干渉成分から各波長の偏光軸における同相成分であるＩｃｈ成分とこれと直交する直交成分であるＱｃｈ成分とを生成する。
【００３４】
フォトディテクタは、通常の単一のフォトディテクタのほか、バランスドフォトディテクタ（差動型の２つのフォトディテクタの組み合わせ）も含む。
【００３５】
２つのフォトディテクタのうち一つのフォトディテクタはＩｃｈ成分を電気信号Ｉｃｈｍａに変換し変換部７ｍへ出力する。他の一つのフォトディテクタはＱｃｈ成分をアナログの電気信号（以下「アナログ信号」と称す）Ｑｃｈｍａに変換し変換部７ｍへ出力する。
【００３６】
図６に光コヒーレント検波器４ｍの９０°光ハイブリッドカップラにより生成されるＩｃｈ成分の一例を示す。
【００３７】
Ａ／Ｄ変換器７ｅは、光コヒーレント検波器４ｅにより生成された各波長の偏光軸成分のアナログ信号（同相成分Ｉｃｈｅａと直交成分Ｑｃｈｅａ）をそれぞれディジタル信号に変換しディジタルデータＩｃｈｅｄ、Ｑｃｈｅｄとしてデマルチプレクサ８に出力する。
【００３８】
換言すると、Ａ／Ｄ変換器７ｅは、入力されるアナログ信号Ｉｃｈｅａ、ＱｃｈｅａをディジタルデータＩｃｈｅｄ、Ｑｃｈｅｄに変換しデマルチプレクサ８に出力する。
【００３９】
ディジタルデータＩｃｈｅｄ、ＱｃｈｅｄはＴＥ成分どうしの干渉成分の偏光軸成分のディジタルデータである。
【００４０】
すなわちＡ／Ｄ変換器７ｅは、光コヒーレント検波器４ｅにより生成された各波長の偏光軸における同相成分と直交成分をディジタルデータに変換する第１変換部である。
【００４１】
Ａ／Ｄ変換器７ｍは、光コヒーレント検波器４ｍにより生成された各波長の偏光軸成分のアナログの電気信号（同相成分Ｉｃｈｍａと直交成分Ｑｃｈｍａ）をそれぞれディジタル信号に変換しディジタルデータＩｃｈｍｄ、Ｑｃｈｍｄとしてデマルチプレクサ８に出力する。
【００４２】
換言すると、Ａ／Ｄ変換器７ｍは、入力されるアナログ信号Ｉｃｈｍａ、ＱｃｈｍａをディジタルデータＩｃｈｍｄ、Ｑｃｈｍｄに変換しデマルチプレクサ８に出力する。
【００４３】
ディジタルデータＩｃｈｍｄ、ＱｃｈｍｄはＴＭ成分どうしの干渉成分の偏光軸成分のディジタルデータである。
【００４４】
すなわちＡ／Ｄ変換器７ｍは、光コヒーレント検波器４ｍにより生成された各波長の偏光軸における同相成分と直交成分をディジタルデータに変換する第２変換部である。
【００４５】
デマルチプレクサ８は、各Ａ／Ｄ変換器７ｅ、７ｍによりそれぞれ変換されるディジタルデータＩｃｈｅｄ、Ｑｃｈｅｄ、Ｉｃｈｍｄ、Ｑｃｈｍｄを、複数のチャネルｃｈ１、ｃｈ２、ｃｈ３…ｃｈｎそれぞれの複素信号ｅ１、ｅ２に分離する。
【００４６】
それぞれの複素信号は、上記中間周波数を有する複素信号であるほか、上記中間周波数と同じ周波数だけ低域に周波数変換された複素等価低域信号であってもよい。
【００４７】
複素信号ｅ１は偏光軸と同相の成分に対するチャネルの複素信号であり、ｅ１Ｉ＋ｊｅ１Ｑで表せる。複素信号ｅ２は偏光軸に直交する成分に対するチャネルの複素信号であり、ｅ２Ｉ＋ｊｅ２Ｑで表せる。
【００４８】
マルチチャネルアナライザ９は、デマルチプレクサ８により分離された多数のチャネルｃｈ１、ｃｈ２、ｃｈ３…ｃｈｎそれぞれの複素信号ｅ１、ｅ２から個々のチャネルの変調信号の偏光状態を示す情報を生成する解析部である。
【００４９】
個々のチャネルの変調信号の偏光状態を示す情報は、例えばストークスパラメータＳ０、Ｓ１、Ｓ２、Ｓ３などで表現される。各ストークスパラメータＳ０、Ｓ１、Ｓ２、Ｓ３の生成の仕方については、後述する図４および図７の説明で詳述する。
【００５０】
図４に示すように、マルチチャネルアナライザ９は、二乗器９１、９２、複素共役算出部９３、乗算器９４、実数成分演算器９５、虚数成分演算器９６、減算器９７、加算器９８を有する。
【００５１】
二乗器９１は、入力された複素信号ｅ１の複素数の絶対値を２乗して電力を求める。二乗器９２は、入力された複素信号ｅ２の複素数の絶対値を２乗して電力を求める。
【００５２】
複素共役算出部９３は、複素信号ｅ１の複素共役ｅ１＊を算出する。乗算器９４は、複素信号ｅ１の複素共益ｅ１＊と複素信号ｅ２とを乗算する。
【００５３】
実数成分演算器９５は、乗算器９４による算出結果（乗積）の実部を２倍、つまり２・Ｒｅ［ｅ１＊・ｅ２］を求め、ストークスパラメータＳ２として出力する。
【００５４】
虚数成分演算器９６は、乗算器９４による算出結果（乗積）の虚数部を２倍、つまり２・Ｉｍ［ｅ１＊・ｅ２］を求め、ストークスパラメータＳ３として出力する。
【００５５】
減算器９７は、複素信号ｅ１の電力｜ｅ１｜２と複素信号ｅ２の電力｜ｅ２｜２とを減算して互いの差｜ｅ１｜２−｜ｅ２｜２であるストークスパラメータＳ１を出力する。
【００５６】
加算器９８は、複素信号ｅ１の電力｜ｅ１｜２と複素信号ｅ２の電力｜ｅ２｜２とを加算して互いの和｜ｅ１｜２＋｜ｅ２｜２であるストークスパラメータＳ０を出力する。
【００５７】
続いて、このマルチコヒーレント偏光アナライザの動作を説明する。
多数の変調信号を異なる波長に多重した光信号が送信機から光ファイバを通じて伝送され、このマルチコヒーレント偏光アナライザに受信される。
【００５８】
マルチコヒーレント偏光アナライザでは、受信光Ｓｓが偏光ビームスプリッタ１に入力される。
【００５９】
第１偏光ビームスプリッタ１では、受信光Ｓｓは電気的横波成分ＴＥｓと磁気的横波成分ＴＭｓに分岐され、電気的横波成分ＴＥｓが光コヒーレント検波器４ｅに出力され、磁気的横波成分ＴＭｓが光コヒーレント検波器４ｍに出力される。
【００６０】
一方、基準光発生器２では、複数の変調信号それぞれに対応する波長の異なる多数のマルチトーン参照光ＭＴｌｏが発生されて偏光ビームスプリッタ３に入力される。
【００６１】
偏光ビームスプリッタ３では、マルチトーン参照光ＭＴｌｏが電気的横波成分ＴＥｌｏと磁気的横波成分ＴＭｌｏに分岐されて、電気的横波成分ＴＥｌｏが光コヒーレント検波器４ｅに出力され、磁気的横波成分ＴＭｌｏが光コヒーレント検波器４ｍに出力される。
【００６２】
光コヒーレント検波器４ｅでは、分岐して入力された受信光Ｓｓとマルチトーン参照光ＭＴｌｏの電気的横波成分どうしＴＥｓ、ＴＥｌｏが合波されて干渉成分が生成され、生成された干渉成分から各波長の偏光軸における同相成分のアナログ信号Ｉｃｈｅａと直交成分のアナログ信号Ｑｃｈｅａが生成され、Ａ／Ｄ変換器７ｅに出力される。
【００６３】
光コヒーレント検波器４ｍでは、分岐して入力された受信光Ｓｓとマルチトーン参照光ＭＴｌｏの磁気的横波成分どうしＴＭｓ、ＴＭｌｏが合波されて干渉成分が生成され、生成された干渉成分から各波長の偏光軸における同相成分のアナログ信号Ｉｃｈｍａと直交成分のアナログ信号Ｑｃｈｍａが生成され、Ａ／Ｄ変換器７ｍに出力される。
【００６４】
Ａ／Ｄ変換器７ｅでは、光コヒーレント検波器４ｅから入力された電気的横波成分ＴＥｓ、ＴＥｌｏの干渉成分の各波長の偏光軸における同相成分のアナログ信号Ｉｃｈｅａと直交成分のアナログ信号ＱｃｈｅａがディジタルデータＩｃｈｅｄ、Ｑｃｈｅｄに変換されて、デマルチプレクサ８に出力される。
【００６５】
Ａ／Ｄ変換器７ｍでは、光コヒーレント検波器４ｍから入力された電気的横波成分ＴＭｓ、ＴＭｌｏの干渉成分の各波長の偏光軸における同相成分のアナログ信号Ｉｃｈｍａと直交成分のアナログ信号ＱｃｈｍａがディジタルデータＩｃｈｍｄ、Ｑｃｈｍｄに変換されて、デマルチプレクサ８に出力される。
【００６６】
デマルチプレクサ８では、変換して入力されたそれぞれの偏光軸成分毎のディジタルデータＩｃｈｅｄ、Ｑｃｈｅｄ、Ｉｃｈｍｄ、Ｑｃｈｍｄが、多数のチャネルｃｈ１、ｃｈ２、ｃｈ３…ｃｈｎそれぞれの複素信号ｅ１、ｅ２に分離されて、マルチチャネルアナライザ９に出力される。
【００６７】
マルチチャネルアナライザ９では、デマルチプレクサ８により分離して入力された多数のチャネルｃｈ１，ｃｈ２，ｃｈ３…ｃｈｎそれぞれの複素信号ｅ１、ｅ２から個々のチャネルの変調信号の偏光状態を示す情報（ストークスパラメータＳ０、Ｓ１、Ｓ２、Ｓ３）が生成されて出力される。
【００６８】
このようにこの実施形態のマルチコヒーレント偏光アナライザによれば、以下のような効果が得られる。
【００６９】
すなわち、ある偏光軸に対して波長分割多重された受信光Ｓｓの偏光軸成分と、波長分割多重されたマルチトーン参照光ＭＴｌｏの偏光軸成分とを用いて光コヒーレント検波を行い、光コヒーレント検波後に現れる偏光軸成分のアナログ信号Ｉｃｈｅａ、Ｑｃｈｅａ、Ｉｃｈｍａ、ＱｃｈｍａをディジタルデータＩｃｈｅｄ、Ｑｃｈｅｄ、Ｉｃｈｍｄ、Ｑｃｈｍｄに変換し、デマルチプレクサ８によるディジタル処理でそれぞれのチャネルｃｈ１、ｃｈ２、ｃｈ３…ｃｈｎの複素信号ｅ１、ｅ２に分離し、分離した複素信号ｅ１、ｅ２をチャネル毎に演算処理して、チャネル毎のストークスパラメータＳ０、Ｓ１、Ｓ２、Ｓ３を出力するので、光ファイバケーブルを介して受信される多波長の受信光Ｓｓの偏光状態（ＳＯＰ）をチャネル毎に解析することができる。
【００７０】
これにより、高価な測定器でなくても通信装置などの受信機にこの機能を組み込むことが可能になる。また受信光Ｓｓそのものの偏光状態を解析するので、解析結果を用いた受信光Ｓｓのさまざまに処理（偏光分離や偏光ダイバーシティなど）が可能になる。
【００７１】
この他、複数の波長チャネル間の相対的な偏光状態（ＳＯＰ）を知ることができるので、伝送路上におけるＳＯＰ変動の波長依存性を観測できるなど、学術的な面での波及効果が大きい。また、原理的にはＳＯＰを随時観測できるため偏光変調方式（特に復調技術）への応用など、技術的な派生にも期待できる。
【００７２】
さらに本技術はディジタルコヒーレント検波との高い親和性を有することから、信号の復調と同時にＳＯＰを観測できるため、予等化や偏光補償、偏光多重の効率化などへの応用も期待できる。
【００７３】
また、この実施形態の構成要素をディジタルコヒーレント通信用のＬＳＩに組み込むことで、システム性能の改善に貢献でき、これにより質の高い通信インフラを提供することができる。
【００７４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７５】
上記の図４に示したマルチチャネルアナライザ９の構成例は複素信号ｅ１、ｅ２にノイズ（雑音）が載っていない場合、つまりノイズ（雑音）を考慮しない場合の例であり、実際には、マルチチャネルアナライザ９に入力される複素信号にはノイズ（雑音）が載ってくる可能性が高く、ノイズ（雑音）が載った複素信号ｒ１、ｒ２の場合の構成例を以下に示す。なお図４に示した構成と同じ構成には同一の符号を付しその説明は省略するものとする。
【００７６】
すなわち、図７に示すように、この例のマルチチャネルアナライザ９は、集合平均計算器９９ａ、９９ｂ、９９ｃを有する。なおこの例では、複素信号ｒ１、ｒ２に載るノイズ（雑音）をガウス雑音と想定する。
【００７７】
集合平均計算器９９ａは、二乗器９１の前段に設けられる。集合平均計算器９９ａは、入力される複素信号ｒ１に対してある一定時間における平均Ｅ［ｒ１］を算出し二乗器９１に出力する。
【００７８】
集合平均計算器９９ｂは、二乗器９２の前段に設けられている。集合平均計算器９９ｂは、入力される複素信号ｒ２に対してある一定時間の平均Ｅ［ｒ２］を算出し二乗器９２に出力する。
【００７９】
集合平均計算器９９ｃは、乗算器９４と実数成分演算器９５および虚数成分演算器９６との間に設けられている。集合平均計算器９９ｃは、乗算器９４による算出結果（複素信号ｅ１の複素共益ｅ１＊と複素信号ｅ２との乗積）に対してある一定時間の平均Ｅ［ｒ１＊・ｒ２］を算出し実数成分演算器９５および虚数成分演算器９６にそれぞれ出力する。
【００８０】
この例のマルチチャネルアナライザ９では、集合平均計算器９９ａを二乗器９１の前段に設け、集合平均計算器９９ｂを二乗器９２の前段に設け、集合平均計算器９９ｃを乗算器９４と実数成分演算器９５および虚数成分演算器９６との間に設けることで、それぞれの入力信号を平均化した上で電力または各成分を求める。これにより、雑音の影響を少なくした偏光解析結果を得ることができる。
【００８１】
上記実施形態に示したデマルチプレクサ８およびマルチチャネルアナライザ９を少なくとも含む各構成要素を、通信端末のメモリ、またはコンピュータのハードディスク装置などのストレージにインストールしたプログラムで実現してもよく、また上記プログラムを、通信端末またはコンピュータが読取可能な電子媒体：electronic mediaに記憶しておき、プログラムを電子媒体から通信端末またはコンピュータに読み取らせることで本発明の機能を通信端末またはコンピュータが実現するようにしてもよい。
【００８２】
電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００８３】
１，３…偏光ビームスプリッタ、２…基準光発生器、４ｅ，４ｍ…光コヒーレント検波器、７ｅ，７ｍ…アナログ／ディジタル変換器（Ａ／Ｄ変換器）、８…デマルチプレクサ、９…マルチチャネルアナライザ、９１，９２…二乗器、９３…複素共役算出部、９４…乗算器、９５…実数成分演算器、９６…虚数成分演算器、９７…減算器、９８…加算器、９９ａ，９９ｂ，９９ｃ…集合平均計算器。
【図１】
0006703708.tif 000002
【図２】
0006703708.tif 000003
【図３】
0006703708.tif 000004
【図４】
0006703708.tif 000005
【図５】
0006703708.tif 000006
【図６】
0006703708.tif 000007
【図７】
0006703708.tif 000008